(57)【特許請求の範囲】
【請求項１】
表編地と裏編地の間を連結糸により連結したダブルニットを丸編機により編成し、該丸編ダブルニットの上記連結糸として、捲縮加工されていない糸で且つ長繊維糸（フィラメント糸）を用いると共に、該連結糸は表編地用の表糸あるいは／および裏編地用の裏糸よりもフィラメント数が少ない糸を用い、かつ、
上記表編地の表糸と上記裏編地の裏糸は、捲縮加工されたナイロン糸あるいは捲縮加工されたポリエステル糸からなり、
上記連結糸を表編地と裏編地の全編目に連結して編成し、該連結糸よりなる中間編地を高密度として丸編ダブルニットを厚い編地とし、
カップ部を上記丸編ダブルニットのみで形成していることを特徴とするカップ部を有する衣類。
【請求項２】
表編地と裏編地の間を連結糸により連結したダブルニットを丸編機により編成し、該丸編ダブルニットの上記連結糸として、捲縮加工されていない糸で且つ長繊維糸（フィラメント糸）を用いると共に、該連結糸は表編地用の表糸あるいは／および裏編地用の裏糸よりもフィラメント数が少ない糸を用い、かつ、
上記表編地の表糸および裏編地の裏糸は捲縮加工されたナイロン糸あるいは捲縮加工されたポリエステル糸からなり、
上記連結糸を表編地と裏編地の編目に対して所要数の編目を飛ばして連結して編成し、該連結糸よりなる中間編地を粗密度として丸編ダブルニットを薄い編み地とし、
該丸編ダブルニット編地で乳頭を覆う位置のみ裏打ちすると共に、全体は薄い布で形成しジュニア用としていることを特徴とするカップ部を有する衣類。
【請求項３】
上記連結糸は弾性糸でカバーリングした糸としている請求項１または請求項２に記載のカップ部を有する衣類。
【請求項４】
上記裏編地の裏糸は、上記ナイロン糸あるいはポリエステル糸に更に綿糸を混紡したものである請求項１乃至請求項３のいずれか１項に記載のカップ部を有する衣類。
【請求項５】
上記表糸、裏糸、連結糸の９０％以上がポリエステル糸からなる上記丸編ダブルニットを加熱成形により、バストに沿う形状とし、カップ部の全面に使用している請求項１乃至請求項４のいずれか１項に記載のカップ部を有する衣類。
【発明の詳細な説明】
【０００１】
【発明の属する技術分野】
本発明は、ブラジャー等のカップ部を有する衣類に関し、特に、カップ部を厚くクッション性が良く、かつ、通気性および通水性があると共に速乾性を有する編地で形成して、カップ内部に濡れを発生させず、着用感を高めているものである。
【０００２】
【従来の技術】
従来、ブラジャーやブラスリップ等では、バストを覆うカップ部は、薄着をした場合に外部に乳頭の輪郭が見えないようにするため、および、肌当たりを柔らかくしながらバスト部の重量を支えるために、表布の裏面に、カバー布がラミネートされた不織布やウレタン材等の弾性材からなるパッドを配置した構成としたものが多い。
この種のカップ部を形成する表布や裏布としては通常編地からなる布が用いられ、弾性材からなるパット材を上下カップ部に分け、これらを縫着することによりバストに沿うように膨出させている。
【０００３】
編地を用いるものとして、特開昭５６−３０２号等にはポリウレタン不織布あるいは熱融着性繊維よりなる繊維マットと編物との接合シートを熱成形したブラジャーのカップが提案されている。
さらに、特開平４−２４０２５２号では表編地と裏編地を熱バインダー複合繊維からなる連結糸で連結したダブルニットの編地を用い、該編地を熱処理してカップ部の成形体としてものが提案されている。
【０００４】
【発明が解決しようとする課題】
ブラジャー等のカップ部を有する肌着を着用した際、カップ部で覆われたバストは、夏季や運動時においては汗をかきやすいが、上記のようにパッドはラミネートされて通気性や通水性がなく、また、パット材が吸水し、保水するため、汗をためて蒸れやすく問題がある。
【０００５】
また、編地からなるものでは、前記特開昭５６−３０２号のカップでは、熱成形で硬い感じとなり、触感、風合い等が悪くなる問題がある。
また、後記の特開平４−２４０２５２号のダブルニット編地からなるものも、中間連結糸として熱バインダー複合繊維を用いているため、カップ成形体として熱処理した時に、熱バインダー複合繊維が硬化して肌当たりが悪くなり、かつ、バストへの追従性が悪くなると共に、通水性や速乾性の機能も優れない問題がある。
【０００６】
本発明は上記した問題、特に、特開平４−２４０２５２号の問題に鑑みてなされたもので、ダブルニットの編地から形成した場合に、特に、通気性および通水性、速乾性の点において優れ、かつ、熱処理して成形した場合においても硬くならず、柔らかさや風合いが損なわれず、着用感のよいカップ部を有する衣類を提供することを課題としている。
【０００７】
【課題を解決するための手段】
上記課題を解決するため、本発明は、第一に、表編地と裏編地の間を連結糸により連結したダブルニットを丸編機により編成し、該丸編ダブルニットの上記連結糸として、捲縮加工されていない糸で且つ長繊維糸（フィラメント糸）を用いると共に、該連結糸は表編地用の表糸あるいは／および裏編地用の裏糸よりもフィラメント数が少ない糸を用い、かつ、
上記表編地の表糸と上記裏編地の裏糸は、捲縮加工されたナイロン糸あるいは捲縮加工されたポリエステル糸からなり、
上記連結糸を表編地と裏編地の全編目に連結して編成し、該連結糸よりなる中間編地を高密度として丸編ダブルニットを厚い編地とし、
カップ部を上記丸編ダブルニットのみで形成していることを特徴とするカップ部を有する衣類を提供している。
また、上記連結糸を表編地と裏編地の全編目に連結して編成し、該連結糸よりなる中間編地を高密度として丸編ダブルニットを厚い編地としている代わりに、上記連結糸を表編地と裏編地の編目に対して所要数の編目を飛ばして連結して編成し、該連結糸よりなる中間編地を粗密度として丸編ダブルニットを薄い編み地とし、
該丸編ダブルニット編地で乳頭を覆う位置のみ裏打ちすると共に、全体は薄い布で形成しジュニア用としていることを特徴とするカップ部を有する衣類を第二の発明として提供している。
【０００８】
上記のように、本発明では、丸編ダブルニット編地において、表編地と裏編地の間に挿入し、表編地と裏編地を連結する連結糸として、紡糸の口金より引き出されて整然とした状態のままで、捲縮加工されていない糸（所謂、生糸）で、かつ、長繊維糸（フィラメント糸）を用いていることを特徴としている。
この生糸のフィラメント糸では、捲縮加工を行っておらず且つ糸表面にもバルキー加工等によって凹凸をつけておらず、糸表面は平滑でケバ立ちがないため、保水を行わず、通水性がよくなる、
よって、カップ部の内部やカップ脇布で覆われた部位に汗をかいた場合に、浸透した汗が滑らかな糸の表面を伝って拡散しやすい。
このように、連結糸により構成される中間繊維層で保水せず、通水性および速乾性にも優れたものとなる。
また、この連結糸としては、フィラメント数の少ない糸、あるいは細い（１０フィラメント以下の）モノフィラメント糸が通水性がよく、また、カップ用編地を編む糸として、肌への刺激が少ないため好ましい。
【０００９】
上記丸編ダブルニット編地をカップ部の少なくとも一部あるいは／および脇布の少なくも一部に用いている。
上記カップ部とは乳房（バスト）を覆う箇所を指し、バストが発達していないジュニア用のカップ部を有する衣類では、バストに密着せずにバスト部分を単に覆う部分をカップ部と称す。
【００１０】
上記ダブルニット編地の厚さは１〜５ｍｍ程度の範囲で調節可能で、比較的厚い編地であるため、該ダブルニット編地で乳頭をカバーすると、乳頭が外部に透けないようにすることができる。
特に、連結糸からなる中間組織を高密度とすると、厚さ３ｍｍ〜５ｍｍの弾力性のある厚い編地とすることが出来る。また、編物であることから、不織布やポリウレタン等のように表面に別布を接着する必要がない。よって、一枚のダブルニット編地のみでカップ部を形成することができる。
なお、カップ部や脇布以外にも、用途に応じて好適に用いられる。
【００１１】
上記連結糸としては、ナイロン糸、ポリエステル糸、ポリエステル糸もしくはナイロン糸と綿等の天然糸との混紡糸、あるいは弾性糸を綿等の天然糸でカバーリングした糸で、且つ、５デニールの１本の糸（モノフィラメント）またはフィラメント数が少ない糸を用いている。
丸編ダブルニット編地でカップ部を形成し、バストに沿った形状に熱処理する場合には、融点が高く熱成形性の良いポリエステル糸が好適に用いられる。なお、熱処理温度を低下させるとナイロン糸を用いることもできる。また、ポリウレタン糸に綿糸をカバーリングした糸を用いると伸縮性を有するため、バストへの追従性を高めることができる。
【００１２】
上記連結糸はモノフィラメントまたは表編地用の表糸あるいは／および裏編地用の裏糸よりもフィラメント数が少ない糸を用いている。言い換えれば、表糸あるいは／および裏糸のフィラメント数を連結糸のフィラメント数より多くしている。
特に、フィラメント数を多くすると、フィランメト間を毛細管現象により、フィラメントの表面に沿って水が伝い易くなるため、透湿拡散性が良く乾きが早くなる。よって、肌に触れない表編地を構成する表糸のフィラメント数を連結糸のフィラメント数より多くすると、裏編地側で吸湿した汗は中間繊維層を通り表編地側のフィラメント表面で拡散するため蒸発しやすく、素早く乾くことができる。
【００１３】
上記表編地の表糸と裏編地の裏糸の両方は捲縮加工を施したナイロン糸（ウーリーナイロン糸）や捲縮加工したポリエステル糸を用いている。さらに、裏編地の裏糸として、ナイロン系と綿糸の混紡あるいはポリエステル糸と綿糸の混紡で、捲縮加工を施したものが好適に用いられる。
このように捲縮加工して伸縮機能を持たせていると、ふんわりとした風合と弾性を備え、特に、肌に当たる側の裏糸に用いると触感がよく、かつ、肌へのフィット性を良好とすることができる。
また、外表面となる表編地の表糸としてブライト糸を用いた場合は装飾機能を高めることができる。
【００１４】
ダブルニット編地からなるカップ部をバストに沿う形状に熱処理（２００℃〜２３０℃で３０〜６０秒程度加熱）する場合、上記表糸、裏糸、連結糸の９０％以上がポリエステル糸を用い、加熱成形でバストに沿う形状とし、カップ部の全面に使用している。
【００１５】
丸編ダブルニット編地を厚さ３ｍｍ〜５ｍｍ程度に厚くする場合には、連結糸を表編地と裏編地の全編目に連結して編成し、該連結糸よりなる中間繊維層を高密度とする方法がある。
このように、丸編ダブルニットを厚い編地とすると、該丸編ダブルニットのみでカップ部を形成し、該カップ部を熱処理してバストに沿う形状に成形しやすく、また、形状保持性が良い。編物であるため、表面に更に別の布を接着する必要がなく、カップ部を１枚のダブルニット編地のみで形成でき、シンプルな構成とすることができる。また、所要の厚みがあると、丸編ダブルニット１枚でカップ部を形成しても透けることがない。
なお、装飾用の表布を取り付けても良いことは言うまでもない。
【００１６】
一方、丸編ダブルニット編地を厚さ１ｍｍ〜３ｍｍ未満と薄くする場合には、連結糸を表編地と裏編地の編目に対して所要数の編目（通常、１目）を飛ばして連結して編成し、該連結糸よりなる中間編地を粗密度としている。
丸編ダブルニットを薄い編み地とした場合、カップ表布の裏面側で少なくとも乳頭をカバーする位置に部分的に配置し、布が２重となった場合でも厚くなりすぎない。
よって、バストが小さく、カップ部を殆ど膨出させる必要がないジュニア用ブラジャーにおいて、全体を薄い布で形成し、乳頭を覆う位置のみ丸編ダブルニットで裏打ちをしていてもよく、シンプルな構成とすることができる。また、カップ部を軽くできる。
【００１７】
なお、丸編ダブルニット編地でカップ部を形成する場合、左右のカップ部をそれぞれ１枚のダブルニット編地で構成し、これらダブルニット編地を熱処理してバスト形状に沿う形状に膨出させて成形しても良いが、左右のカップ部に当たる部分を連続した横長なダブルニット編地で形成して、左右のカップ部をそれぞれ熱処理して膨出させてもよい。
また、熱処理する方法に代えて、ダブルニット編地で上下カップ部を裁断し、これら上下カップ部を縫着することによって立体形状を作ってもよい。
さらに、上下カップ部のうち、下カップ部のみ、あるいは上カップ部のみをダブルニット編地で構成し、他の上カップ部あるいは下カップ部は通常の布より形成して、これらを縫着してもよい。
さらにまた、バスト脇布、下部支持布をカップ部と一体に、あるいは、別個独立してダブルニット編地で形成してもよい。
【００１８】
【発明の実施の形態】
以下、本発明の実施形態を図面を参照して説明する。
図１は第１実施形態のブラジャーを示し、左右のカップ部１（１Ａ、１Ｂ）は夫々一枚布からなる丸編ダブルニット編地（以下、ダブルニット編地と略す）１０のみから形成されており、これらカップ部１の上部は肩紐２との連結位置まで延長させている。以下、図中、ダブルニット編地は縦斜線で示す。
【００１９】
左右のカップ部１Ａと１Ｂとの前側端は中央連結布３で連結し、夫々脇側には脇布４、背面側に伸びる背面布５を連結し、背面布５の先端を留具で着脱自在に開閉するタイプとしている。上記中央連結布３、脇布４はマーキジット、背面布５はパワーネットで形成している。
【００２０】
また、ブラジャーの下端縁および脇側端縁から背面布の上縁、左右カップ部１Ａ、１Ｂの上端縁にはそれぞれテープ布６を縫着し、かつ、左右カップ部１Ａ、１Ｂの下側円弧端縁のバージスラインに沿った部分にはワイヤー（図示せず）をテープ布７にくるんで封入している。
【００２１】
上記カップ部１を構成するダブルニット編地１０は図２に示す構成からなる。該ダブルニット編地１０は丸編機により編成しており、表糸１１からなる表編地１２と、裏糸１３からなる裏編地１４と、連結糸１５からなる中間繊維層１６とからなり、連結糸１５で表編地１２の表糸１１と裏編地１４の裏糸１３とを連結している。
上記裏編地１４を肌側とし、表編地１２は外表面側とする。
【００２２】
上記表糸１１は１６７dtex／３６フィラメントの捲縮加工したポリエステルの異形断面（略三角形状態）のブライト糸、裏糸１２は１６７dtex／３０フィラメントの捲縮加工したポリエステルの断面円形のダル糸を用いている。
上記連結糸１５は、１１０dtex／１２フィラメントの捲縮加工していないポリエステルの長繊維の糸を用い、編地全体をポリエステル１００％としている。
【００２３】
上記ダブルニット編地１０の編み組織を図３に示す。
表糸１１、裏糸１３、連結糸１５とも２本の糸条を用い、図３中（Ａ）（Ｄ）は２本の連結糸１５Ａ、１５Ｂの編み組織を示し、表裏対向する針２０と２１の全てに連結糸１５Ａ、１５Ｂを引っかけてタックを作り、表糸１１と裏糸１３に連結して、中間繊維層１６を形成している。
図３（Ｂ）（Ｅ）は２本の表糸１１Ａ、１１Ｂの編み組織を示し、表糸１１Ａと１１Ｂは表側の針２０にウエール方向に１つ飛びに編んでループを形成し、これら表糸１１Ａと１１Ｂとで天竺編みの表編地１２を形成している。
図３（Ｃ）（Ｆ）は２本の裏糸１３Ａ、１３Ｂの編み組織を示し、裏糸１３Ａと１３Ｂは裏側の針２１にウエール方向に１つ飛びに編んでループを形成し、これら裏糸１３Ａと１３Ｂとで天竺編みの裏編地１４を形成している。
【００２４】
上記ダブルニット編地１０は連結糸１５を表糸側の針２０と裏糸側の針２１の全てに引っ掛けてタックしているため高密度になる。よって、表編地１２と裏編地１４との間の連結糸１５からなる中間繊維層１６は厚くなるため、ダブルニット編地１０自体が厚さ約３ｍｍ程度の厚い編地となる。
【００２５】
さらに、表糸１１Ａ、１１Ｂおよび裏糸１３Ａ、１３Ｂをいずれも捲縮加工したポリステル糸としているため、風合いがあり、かつ伸縮性も有するため、肌に柔らかくフィットするものとなる。
【００２６】
上記ダブルニット編地１０を左右のカップ部１Ａ、１Ｂの素材とし、該ダブルニット編地を金型内に挿入し、熱処理（２００℃〜２３０℃で３０〜６０秒）して、バストに沿って膨出する形状に熱成形している。
【００２７】
この熱成形時において、連結糸１５として前記従来例のような熱硬化性のバインダー複合繊維を用いていないため、成形後の状態においてカップ部１Ａ、１Ｂは硬くならず、肌当たりが柔らかで且つ弾力性を有し、バストに追従させることができ、着用感の良いものとすることができる。
【００２８】
上記ダブルニット編地１０により左右カップ部１Ａ、１Ｂを設けたブラジャーにおいては、ダブルニット編地１０が厚くクッション性が良いため、従来用いられていた不織布等のパッド材を不要とできる。また、このダブルニット編地１０のみからカップ部１Ａ、１Ｂを形成しても、編地が厚いため、乳頭が外衣へと現出せず、表面に別の布を接着する必要もなく、１枚でカップ部を形成できる。かつ、バストをカップ内に保持しながらバストの挙動に追従することができる。
【００２９】
また、ダブルニット編地１０のみからなり、かつ、連結糸１５として長繊維糸を用いると共に表糸１１として連結糸よりフィラメント数の多い糸を用いているため、蒸気発散性、通気性、通水性が良い。よって、従来の表面布を不織布やポリウレタンにラミネートしたパッド材を用いている場合と比較して、カップ部１Ａ、１Ｂの内部に蒸れを発生させず、肌にベタつきがせず、着用感をさわやかなものとすることできる。
特に、連結糸１５としてケバ立ちのない捲縮加工を行っていない糸を用いているため、カップ部１Ａ、１Ｂの内部に汗をかいた時に、平滑な糸表面に沿って汗が流れ、速乾性に優れている。
【００３０】
図４は第２実施形態を示す。
ブラジャーの左右カップ部１Ａ、１Ｂを第１実施形態と同様に厚いダブルニット編地１０で形成している点は同一であるが、熱成形により立体形状をつくるのではなく、上下カップ布１Ａ−１と１Ａ−２、１Ｂ−１と１Ｂ−２とに裁断し、これらを縫着Ｈを行って接ぎ合わせることで立体形状を作っている。
【００３１】
第２実施形態では、ダブルニット編地１０を熱加工を行わないため、表糸と裏糸として融点がポリエステルよりも低いウーリーナイロンを用いている。このウーリーナイロンを用いた場合においても、ナイロン糸が捲縮加工されているため、生地表面は柔らかく風合いが良く、ポリエステルの生糸からなる連結糸を介してダブルニット編地としているため弾力性を有する厚さ約３ｍｍ程度の厚い布とすることができる。
透湿拡散性、通気性、通水性が良いため、蒸れを発生させず、かつ、汗を素早く吸収して速乾させる機能を有することは第１実施例と同様である。
【００３２】
なお、前記第２実施形態は、カップ部肌側はダブルニット編地のみで形成しているが、外表面側にレース布等の装飾布を取り付けても良い。
【００３３】
図５（Ａ）は第２実施形態の第１変形例を示し、前記第２実施形態では、肩紐にダブルニット編地を延在させているが、第１変形例では、肩紐の部分までは延在させていない。
【００３４】
図５（Ｂ）は第２実施形態の第２変形例を示し、カップ部１Ａ、１Ｂの下カップ部１Ａ−２、１Ｂ−２のみをダブルニット編地１０で形成している。上カップ部１Ａ−１’、１Ｂ−１’はダブルニット編地１０ではないトリコットで形成しており、上下カップ部を縫着している。上カップ部を２枚接ぎとしている。
下カップ部のみをダブルニット編地１０で構成する場合、乳頭は下カップ部で覆われるようにしている。このように、下カップ部のみをダブルニット編地１０で構成すると、バストの下部を厚く弾力性を有するダブルニット編地１０で保持できる。図示していないが、カップ表面にはレース等の装飾性を有する布を付している。
【００３５】
図５（Ｃ）は第２実施形態の第３変形例を示し、上下カップ部１Ａ−１’と１Ａ−２’、１Ｂ−１’と１Ｂ−２’とは薄い不織布を接ぎ合わせて形成し、乳頭を含み乳房下方に当たる肌側に、ダブルニット編地１０からなる上辺が湾曲した裏当布９Ａ、９Ｂを当接して付している。
【００３６】
図６は第３実施形態を示し、左右カップ部の下カップ部１Ａ−２と１Ｂ−２とはダブルニット編地１０で形成すると共に、中央連結布３、左右脇布４もダブルニット編地１０で形成している。
このように、中央連結布３および左右脇布４も厚く弾力性のあるダブルニット編地１０で形成すると、肌に触れる箇所のクッション性を良くすることができ、肌側面の段差を少なくでき、着用感をソフトなものとすることができる。
【００３７】
図７は第４実施形態を示し、第２実施形態と同様なカップ部を備えたブラキャミソールからなる。即ち、カップ部１Ａ、１Ｂはダブルニット編地１０からなる上下カップ部を縫着して接ぎ合わせで立体形状を作っている。
【００３８】
図８および図９は第５実施形態を示す。
第５実施形態はジュニア用のブラジャーからなる。ジュニア用のブラジャーでは、バストの膨出は少ないが、乳頭が外部に透けないようにする必要があり、そのため、乳頭をカバーする部分に、厚さ１．５ｍｍ程度の比較的薄いダブルニット編地１０’からなる縦長な裏打布９を表面布８の裏面に縫着している。
【００３９】
上記裏内布９として用いるダブルニット編地１０’は前記図２および図３に示すダブルニット編地１０よりは薄いものとしている。
即ち、図９（Ａ）に示す連結糸１５Ａは、表側針２０とおよび裏側針２１にそれぞれ一つ飛びにタックする一方、図８（Ｄ）に示す連結糸１５Ｂは、連結糸１５Ａが連結されていない表側針２０、裏側針２１にそれぞれ一つ飛びにタックしている。
よって、前記図３の編地と比較して、連結糸１５Ａ、１５Ｂからなる中間繊維層１６’が底密度となり、ダブルニット編地１０’を薄く且つ軽くすることができる。
【００４０】
上記ダブルニット編地１０’では、表編地１２の表糸１１Ａ、１１Ｂは１６７dtex／３６フィラメントの捲縮加工したポリエステルの異形断面のブライト糸、裏編地１４の裏糸１３Ａ、１３Ｂは１６７dtex／３０フィラメントの捲縮加工したポリエステルの断面円形のダル糸、連結糸１５は１６７dtex／３０フィラメントの捲縮加工していないポリエステル糸を用い、編地全体をポリエステル１００％としている。
なお、フィラメント数の多い糸からなる方を肌に触れない外側（表編地側）に配置すると通気性、透湿拡散性を向上させることができる。
【００４１】
図１０（Ａ）（Ｂ）（Ｃ）は第５実施形態の変形例を示す。
図１０（Ａ）の第１変形例では前身頃の中央を横断して乳頭をカバーする位置にダブルニット編地１０’からなる裏打布９を表面布８の裏面に縫着している。図１０（Ｂ）の第２変形例では、前身頃の左右両側にダブルニット編地１０’からなる裏打布９を表面布８の裏面に縫着している。
【００４２】
図１０（Ｃ）の第３変形例では前身頃の肌に触れる側をダブルニット編地１０’で形成し、左右両側部５０、５１と中央部５２との３つに分割し、これらを互いに縫着Ｈして、乳頭に沿う部分に小さな膨らみを持たせている。前身頃表面には別途布を設けている。
背面布５は通常用いられいる編地で形成している。
【００４３】
上記ジュニア用ブラジャーでは、前身頃全体をダブルニット編地１０’のみから形成しているため、膨らみ途上の乳房にも当たりが柔らかく、ジュニアが初めて着用するブラジャーとして好適なものとなる。さらに、通気性、透湿拡散性に優れているため、活発な運動で汗をかいた時の着用感を優れたものとすることができる。
【００４４】
図１１は第６実施形態を示し、被りタイプのジュニア用ブラジャー全体をダブルニット編地１０’で形成している。さらに、表面に別布を付してもよい。
前身頃の中央部分５２と、左右脇部から背面部まで連続する部分５３とを分割し、これらを前身頃の左右両側で縫着Ｈしている。
この変形例のブラジャーも第６実施形態と同様な作用効果を有すると共に、背面側中央で留具を着脱する必要がないため、ジュニアにとって着易いものとなる。
【００４５】
なお、本発明のカップ部を有する衣類はブラジャー、ブラキャミソールに限定されず、ブラスリップ、カップ付きランジェ、カップ付きティディ等、カップ部を有する衣類に適用できる。
【００４６】
【発明の効果】
以上の説明よりあきらなように、本発明によれば、カップ部の少なくとも一部を丸編ダブルニット編地より形成し、この丸編ダブルニット編地は、表編地と裏編地の間に挿入して表編地と裏編地を連結する連結糸として、捲縮加工していない長繊維（フィラメント糸）を用いているため、糸の表面にケバ立ちがないため、水分を保水せず、通気性、通水性が優れ、カップ部の内部やカップ脇布で覆われた部位に汗をかいた場合に、この汗がカップに保水されることなく蒸発、拡散させて、蒸れを生じさせないようにすることできる。
【００４７】
また、ダブルニット編地であるため厚くでき、該ダブルニット編地１枚で乳頭をカバーしても乳頭を外部に透けないようにすることができる。
よって、編物であることから、従来必要とされた不織布やポリウレタン等のように表面に別布を樹脂で取り付ける必要がなくなる。
このように、１枚のダブルニット編地のみでカップ部を形成することができ、この点からも、蒸れを生じさせず、着用感をさわやかなものとする特有の作用効果を有する。
【図面の簡単な説明】
【図１】  第１実施形態のブラジャーを肌側の裏面から見た斜視図である。
【図２】  ダブルニット編地の構成を示す概略図である。
【図３】  （Ａ）乃至（Ｆ）はダブルニット編地の組織図である。
【図４】  第２実施形態のブラジャーを肌側の裏面側から見た斜視図である。
【図５】  （Ａ）乃至（Ｃ）は第２実施形態の変形例を示すブラジャーを肌側の裏面から見た斜視図である。
【図６】  第３実施形態のブラジャーを肌側の裏面から見た斜視図である。
【図７】  第４実施形態のブラスリップを肌側の裏面から見た斜視図である。
【図８】  第５実施形態のブラジャーを肌側の裏面から見た斜視図である。
【図９】  薄いダブルニット編地の組織図である。
【図１０】  （Ａ）（Ｂ）（Ｃ）は第５実施形態の変形例のブラジャーを肌側の裏面から見た斜視図である。
【図１１】  第６実施形態のブラジャーを肌側の裏面から見た斜視図である。
【符号の説明】
１（１Ａ、１Ｂ）  カップ部
４                脇布
１０              丸編ダブルニット編地
１１（１１Ａ、１１Ｂ）  表糸
１２                    表編地
１３（１３Ａ、１３Ｂ）  裏糸
１４                    裏編地
１５                    連結糸
１６                    中間繊維層
２０，２１              針
【図１】
0003876410.tif 000002
【図２】
0003876410.tif 000003
【図３】
0003876410.tif 000004
【図４】
0003876410.tif 000005
【図５】
0003876410.tif 000006
【図６】
0003876410.tif 000007
【図７】
0003876410.tif 000008
【図８】
0003876410.tif 000009
【図９】
0003876410.tif 000010
【図１０】
0003876410.tif 000011
【図１１】
0003876410.tif 000012